(57)【要約】【課題】カーテンに必要以上の荷重が生じた際、カーテンをレールから落下させることができるカーテン吊下具において、特に、材料を考慮することなく、簡便な構造で、且つ、さまざまな形状のフックであっても効率よく変形および復元させることができるカーテン吊下具を提供すること。【解決手段】カーテンをレールに吊り下げるためのカーテン吊下具１である。カーテン吊下具１のフック体２のアーチ部４に、カーテンに必要以上の荷重が生じた際、形状が変形してカーテンをリングから落下させる変形部１０を有する。また、変形部１０はアーチ部に形成された凹部であり、アーチ部の外周、内周、一側面、両側面に形成されている。【選択図】図１
0003181982.tif 000002
【実用新案登録請求の範囲】
【請求項１】
カーテンをレールに吊り下げるためのカーテン吊下具において、フック体のアーチ部に、カーテンに必要以上の荷重が生じた際、形状が変形してカーテンをレールから落下させる変形部を有することを特徴とするカーテン吊下具。
【請求項２】
前記変形部が、アーチ部に形成された凹部である請求項１記載のカーテン吊下具。
【請求項３】
前記変形部が、アーチ部の外周に形成されている請求項１または２記載のカーテン吊下具。
【請求項４】
前記変形部が、アーチ部の内周に形成されている請求項１または２記載のカーテン吊下具。
【請求項５】
前記変形部が、アーチ部の外周及び内周に形成されている請求項１または２記載のカーテン吊下具。
【請求項６】
前記変形部が、アーチ部の外周及び／または内周に複数形成されている請求項１または２記載のカーテン吊下具。
【請求項７】
前記変形部が、アーチ部の内周に形成された切れ込部である請求項１記載のカーテン吊下具。
【請求項８】
前記変形部が、アーチ部の内部に形成された中空部である請求項１記載のカーテン吊下具。
【請求項９】
前記変形部が、アーチ部の一側面に形成されている請求項１または２記載のカーテン吊下具。
【請求項１０】
前記変形部が、アーチ部の両側面に形成されている請求項１または２記載のカーテン吊下具。
【考案の詳細な説明】
【技術分野】
【０００１】
本考案は、カーテンに必要以上の荷重が生じた際、カーテンをレールから落下させることができるカーテン吊下具に関する。
【背景技術】
【０００２】
一般的なカーテンは、窓の室内側のカーテンレールに吊り下げられ、レール内のランナーより開閉自在に装着されている。また通常、カーテンは容易に落下しないように、ランナーに連結されたリングに、金属やプラスチック等からなるカーテン吊下具により吊り下げられている。
【０００３】
前記カーテン吊下具は、アーチ部を有するフック体からなるもの、またフック体に高さを任意に調節できるアジャスターを装着したもの等がある。これらのカーテン吊下具は、カーテンをある程度の強度を有する状態に吊り下げる構造で形成されている。
【０００４】
しかしながら、昨今、カーテンがレールに対し強固に取り付けられているが故に問題となることがある。例えば、その問題の一つとしてカーテンでの首の大動脈圧迫による死亡事故が挙げられる。
【０００５】
これらのカーテンでの首の大動脈圧迫による死亡事故を未然に防ぐため、本考案者において、通常のカーテン使用時においては何等問題を生じることはないが、誤ってカーテンの一部に首を引っ掛けたときは、不慮の事故を未然に防ぐことができるカーテン吊下具が既に出願されている（特許文献１参照）。
【０００６】
特許文献１のカーテン吊下具は、カーテンをレールに吊り下げる連結具を備え、該連結具がレールに対する掛止部を有するか、またはそれ自体で掛止部を形成し、カーテンに必要以上の荷重が生じた際、該掛止部が変形してカーテンがレールから落下することを特徴としている。
【０００７】
また、カーテンに必要以上の荷重が生じた際、カーテンをレールから落下させるカーテン吊下具フックにおいて、本考案者により、特に、素材を考慮することなく容易に、且つ確実にフックを変形させることができるカーテン吊下具フックも出願されている（特許文献２参照）。
【０００８】
特許文献２のカーテン吊下具用フックは、基部と、該基部に連設された湾曲部と、該湾曲部の先方に連設された先方部とで一体的に構成されており、湾曲部に、必要以上の荷重が生じた際、湾曲部が変形してカーテンをレールから落下させる変形部が形成されていることを特徴としている。
【先行技術文献】
【特許文献】
【０００９】
【特許文献１】登録実用新案第３１６１７３９号公報（実用新案登録請求の範囲等）
【特許文献２】登録実用新案第３１６５９００号公報（実用新案登録請求の範囲等）
【考案の概要】
【考案が解決しようとする課題】
【００１０】
上掲特許文献１のカーテン吊下具は弾性変形する材料により、また上掲特許文献２のカーテン吊下具用フックは湾曲部を変形させることにより、それぞれカーテンに必要以上の荷重が生じた際、カーテンをレールから落下させることができるカーテン吊下具を実現したものである。その一方で、さらに効率よく簡便な構造でフックを変形させるカーテン吊下具の開発はなお望まれている。
【００１１】
そこで本考案の目的は、カーテンに必要以上の荷重が生じた際、カーテンをレールから落下させることができるカーテン吊下具において、特に、材料を考慮することなく、簡便な構造で、且つ、さまざまな形状のフックであっても効率よく変形および復元させることができるカーテン吊下具を提供することにある。
【課題を解決するための手段】
【００１２】
上記課題を解決するために、カーテンをレールに吊り下げるためのカーテン吊下具において、本考案のカーテン吊下具は、フック体のアーチ部に、カーテンに必要以上の荷重が生じた際、形状が変形してカーテンをレールから落下させる変形部を有することを特徴とするものである。
本考案の好適実施形態について以下に列記する。
【００１３】
前記変形部がアーチ部に形成された凹部である。
【００１４】
前記変形部がアーチ部の外周に形成されている。
【００１５】
前記変形部がアーチ部の内周に形成されている。
【００１６】
前記変形部がアーチ部の外周及び内周に形成されている。
【００１７】
前記変形部がアーチ部の外周及び／または内周に複数形成されている。
【００１８】
前記変形部がアーチ部の内周に形成された切れ込部である。
【００１９】
前記変形部がアーチ部の内部に形成された中空部である。
【００２０】
前記変形部がアーチ部の一側面に形成されている。
【００２１】
前記変形部がアーチ部の両側面に形成されている。
【考案の効果】
【００２２】
本考案のカーテン吊下具によれば、通常のカーテン使用時においては何等問題を生じることはないが、カーテンに必要以上の荷重が生じた際、アーチ部の形状が変形してカーテンを容易に落下させることができる。そのため、カーテンの一部に身体を引っ掛けても不慮の事故を未然に防ぐことができる。また、万一、カーテンに炎が着火した際でも、カーテンを簡単に取り外すことができ、火災の予防にも効果を発揮する。
【００２３】
また、変形部はアーチ部の外周、内周、一側面、両側面等に、単一、もしくは複数形成されているため、さまざまな形状のフックであっても、容易に且つ確実に変形部を形成することができる。
【図面の簡単な説明】
【００２４】
【図１】本考案のカーテン吊下具の全体図である。
【図２】(ａ)，(ｂ)，(ｃ)は前記カーテン吊下具の使用状態を示す説明図である。
【図３】アーチ部の詳細を示す拡大図である。
【図４】内周に変形部を形成したアーチ部の拡大図である。
【図５】外周及び内周に変形部を形成したアーチ部の拡大図である。
【図６】外周に複数の変形部を形成したアーチ部の拡大図である。
【図７】内周に切れ込み状の変形部を形成したアーチ部の拡大図である。
【図８】他の好適例、外周に放射状の変形部を形成したアーチ部の拡大図である。
【図９】他の好適例、外周に凹凸状の変形部を形成したアーチ部の拡大図である。
【図１０】中空状の変形部を形成したアーチ部の拡大図である。
【図１１】一側面に変形部を形成したアーチ部の拡大図である。
【図１２】両側面に変形部を形成したアーチ部の拡大図である。
【考案を実施するための形態】
【００２５】
以下、本考案におけるカーテン吊下具の実施の形態を図面に基づいて説明する。
【００２６】
図１に示す第一実施例におけるカーテン吊下具１は、カーテンに必要以上の荷重が生じた際、カーテンをレールから落下させることができることを特徴とする。このカーテン吊下具１は、基部３と、基部３の上方に連設された湾曲状のアーチ部４と、アーチ部４より下方に連設された、レールのリング内に挿入される挿入部５とを備えるフック体２とからなる。
【００２７】
フック体２の材料は、特に限定されるものではないが、ポリオレフィン樹脂、ポリエステル樹脂、ポリカーボネート樹脂、ポリアミド樹脂等の樹脂材料やエラストマー材料が挙げられる。
【００２８】
また、カーテン吊下具１は、図１に示すように、フック体２の基部３に、カーテン吊下具１の高さを自在に調節できるアジャスター２０を装着することがきる。
【００２９】
また、特に、本考案のカーテン吊下具１は、フック体２のアーチ部４に、カーテンに必要以上の荷重が生じた際、形状が変形してカーテンをレールから落下させる変形部１０が形成されている。なお、変形部１０が施されるカーテン吊下具は、図中に示す吊下具の形状に限定されるものではなく、市販されているさまざまな形状の吊下具にも適応できることは言うまでもない。
【００３０】
次に、本考案のカーテン吊下具１の操作方法の詳細を図２の（ａ），（ｂ），（ｃ）に基づいて説明する。
【００３１】
カーテンＡに必要以上の荷重（約１０ｋｇ程度）が加わると、図２の（ａ）に示すように、フック体２のアーチ部４の変形部１０が変形する。変形部１０が変形すると挿入部５が上方に引き上げられる。
【００３２】
さらに、カーテンＡを下方に引くと、（ｂ）に示すように、挿入部５が上方に引き上げられる。この状態で、さらにカーテンＡを下方に引くと、アーチ部４の変形部１０が変形し、挿入部５がリング２１から引き離され、カーテンＡを完全に取り外すことができる。なお（ｃ）に示すように、カーテンＡが完全に取り外されると、前記変形部１０がもとの形状となり、カーテン吊下具１がフック状の状態に復元される。
【００３３】
次に、アーチ部４に形成される変形部１０の詳細を図３乃至図１２に基づいて説明する。
【００３４】
図３に示す変形部１０は、アーチ部４の外周に形成された湾曲状の凹部１０ａである。アーチ部４の外周に凹部１０ａを形成することで、カーテンに必要以上の荷重が生じた際、アーチ部４の変形部１０ａが変形し、フック体２がリング２０から引き離されて、カーテンを容易に落下させることができる。
【００３５】
図４に示す他の変形部１０は、アーチ部４の内周に形成された湾曲状の凹部１０ｂである。アーチ部４の内周に凹部１０ｂを形成することで、カーテンに必要以上の荷重が生じた際、アーチ部４の変形部１０ｂが変形し、フック体２がリング２０から引き離されて、カーテンを容易に落下させることができる。
【００３６】
図５に示す他の変形部１０は、アーチ部４の内外周に形成された凹部１０ｃであり、かかる凹部１０ｃは、アーチ部４の外周及び内周に湾曲凹状に形成されている。アーチ部４の内外周に凹部１０ｃを形成することで、カーテンに必要以上の荷重が生じた際、アーチ部４の変形部１０ｃが変形し、フック体２がリング２０から引き離されて、カーテンを容易に落下させることができる。
【００３７】
図６に示す他の変形部１０は、アーチ部４の外周に複数（図中３箇所）形成された凹部１０ｄである。アーチ部４の外周に凹部１０ｄを形成することで、カーテンに必要以上の荷重が生じた際、アーチ部４の変形部１０ｄが変形し、フック体２がリング２０から引き離されてカーテンを容易に落下させることができる。なお、凹部１０ｄを形成する数や大きさは限定されるものではなく、アーチ部４の内周に複数形成してもよい。
【００３８】
図７に示す他の変形部１０は、アーチ部４の内周に形成された切れ込部１０ｅである。かかる切れ込部１０ｅをアーチ部４の内周に形成することで、カーテンに必要以上の荷重が生じた際、アーチ部４の切れ込部１０ｅが開口し、フック体２がリング２０から引き離されてカーテンを容易に落下させることができる。なお、切れ込部１０ｅを形成する数や大きさは限定されるものではない。
【００３９】
図８に示す他の変形部１０は、アーチ部４の外周に複数、且つ放射状に形成された凹部１０ｆである。かかる凹部１０ｆをアーチ部４の外周に形成することで、カーテンに必要以上の荷重が生じた際、アーチ部４の変形部１０ｆが変形し、フック体２がリング２０から引き離されてカーテンを容易に落下させることができる。なお、前記凹部１０ｆを形成する数や大きさは限定されるものではなく、さらに、アーチ部４の内周に形成してもよい。
【００４０】
図９に示す他の変形部１０は、アーチ部４の外周に複数形成された歯車状の凹部１０ｇである。かかる凹部１０ｇをアーチ部４の外周に形成することで、カーテンに必要以上の荷重が生じた際、アーチ部４の変形部１０ｇが変形し、フック体２がリング２０から引き離されてカーテンを容易に落下させることができる。なお、凹部１０ｇを形成する数や大きさは限定されるものではなく、さらに、アーチ部４の内周に複数形成してもよい。
【００４１】
図１０に示す他の変形部１０は、アーチ部４の内部に形成された中空部１０ｈである。かかる中空部１０ｈをアーチ部４の内部に形成することで、カーテンに必要以上の荷重が生じた際、アーチ部４の中空部１０ｈが変形し、フック体２がリング２０から引き離されてカーテンを容易に落下させることができる。なお、中空部１０ｈを形成する数や大きさは限定されるものではない。
【００４２】
図１１はアーチ部４を縦方向より視た状態であり、変形部１０は、アーチ部４の一側面に形成された凹部ｉである。かかる凹部ｉはアーチ部４の一側面に湾曲状に形成されている。かかる凹部ｉをアーチ部４の一側面に形成することで、カーテンに必要以上の荷重が生じた際、アーチ部４の凹部ｉより変形し、フック体２がリング２０から引き離されてカーテンを容易に落下させることができる。なお、凹部ｉを形成する数や大きさは限定されるものではない。
【００４３】
図１２に示す他の変形部１０は、アーチ部４の両側面に形成された凹部ｊであり、かかる凹部ｊはアーチ部４の両側面に湾曲状に形成されている。かかる凹部ｊをアーチ部４の両側面に形成することで、カーテンに必要以上の荷重が生じた際、アーチ部４の凹部ｊより変形し、フック体２がリング２０から引き離されてカーテンを容易に落下させることができる。なお、凹部ｉを形成する数や大きさは限定されるものではない。
【００４４】
本考案の変形部１０は、アーチ部４の外周、内周、内部、一側面、両側面に単一で、または複数形成されている。また前記変形部１０の断面部分は、アーチ部４の他の断面部分より狭い状態であれば如何なる形状であってもよい。
【００４５】
上述の構造により、本考案のカーテン吊下具によれば、通常のカーテン使用時においては何等問題を生じることはないが、カーテンに必要以上の荷重が生じた際、アーチ部の変形部が変形してカーテンを容易に落下させることができる。そのため、カーテンの一部に身体を引っ掛けても不慮の事故を未然に防ぐとともに、万一、カーテンに炎が着火した際でも、カーテンを簡単に取り外すことができ、火災の予防にも優れた効果を発揮する。
【符号の説明】
【００４６】
１    カーテン吊下具
２    フック体
３    基部
４    アーチ部
５    挿入部
１０  変形部
２０  アジャスター
２１  リング
【図１】
0003181982.tif 000003
【図２】
0003181982.tif 000004
【図３】
0003181982.tif 000005
【図４】
0003181982.tif 000006
【図５】
0003181982.tif 000007
【図６】
0003181982.tif 000008
【図７】
0003181982.tif 000009
【図８】
0003181982.tif 000010
【図９】
0003181982.tif 000011
【図１０】
0003181982.tif 000012
【図１１】
0003181982.tif 000013
【図１２】
0003181982.tif 000014